(57)【要約】【目的】  既に建築されているビル等で、建築完了後に計画変更により増設要望のある便器等の増設機器排水を、既設の排水系統に容易に接続することができ、新たに排水立管を新設することなく、排水を可能とする。【構成】  電動マセレータ・ポンプ内蔵の小型排水タンクにより、水洗トイレ、洗面器およびシャワユニット等の増設機器排水を、小径排水管７で満流圧送し、前記排水管７を既設便器の下部に敷設したトイレスタンド２内を通した排水ノズル８を介し、既設便器１の排水管に排出するようにした。【選択図】      図１
2006207251.tif 000002
【特許請求の範囲】
【請求項１】
増設機器排水を、電動マセレータ・ポンプ内蔵の小型排水タンクに接続された小径排水管により満流圧送し、既設便器の下に重ねて敷設されたトイレスタンド内を通した排水ノズルを介して既設便器用の排水管に排出することを特徴とする増設機器排水の処理方法。
【請求項２】
増設機器排水管に接続された電動マセレータ・ポンプ内蔵の小型排水タンクと、前記小型排水タンクに接続された小径排水管と、前記小径排水管の先端に接続された排水ノズルと、前記排水ノズルを通す溝部を有し既設便器の下に重ねて敷設される板状のトイレスタンドとからなり、前記排水ノズルの先端を既設便器用の排水管に開口させたことを特徴とする増設機器排水の処理システム。
【請求項３】
前記小径排水管の先端に接続された排水ノズルは、その管径が前記トイレスタンドの厚み以下である請求項２記載の増設機器排水の処理システム。
【請求項４】
前記トイレスタンドは前記既設便器を取外した後、床上に固定し、その上に前記既設便器を重ねて固定することを特徴とする請求項２記載の増設機器排水の処理システム。
【請求項５】
前記トイレスタンドの素材は合板または硬質の発泡プラスチックである請求項２記載の増設機器排水の処理システム。
【請求項６】
前記トイレスタンドはその厚さが約２０mmの板状をなし、中心に前記既設便器の排水管に嵌る開口を備えている請求項２記載の増設機器排水の処理システム。
【請求項７】
増設機器排水を、電動マセレータ・ポンプ内蔵の小型排水タンクに接続された小径排水管により満流圧送し、前記小径排水管の先端に設け、既設排水立管を貫通するた排水ノズルを介し、既設の排水立管の内周面に沿って排出するようにしたことを特徴とする増設機器排水の既設排水立管への処理方法。
【請求項８】
増設機器排水管に接続された電動マセレータ・ポンプ内蔵の小型排水タンクと、前記小型排水タンクに接続された小径排水管と、前記小径排水管に取付けた排水ノズル付ポンプ排水アダプタとからなり、前記排水ノズル付ポンプ排水アダプタの排水ノズルを既設排水立管を貫通させて既設排水立管の内壁に向って排出するようにしたことを特徴とする増設機器排水の既設排水立管への処理システム。
【請求項９】
前記排水ノズル付ポンプ排水アダプタは、前記既設排水立管にサドル継手を介し取付けられ、前記排水ノズルを既設排水立管に設けた孔を貫通させ、その先端が前記既設排水立管の内壁面に沿ってこれと略平行に配設され、排水ノズルからの排水を既設排水立管の内壁面に沿って排出させるようにした請求項８記載の増設機器排水の既設排水立管への処理システム。
【発明の詳細な説明】
【技術分野】
【０００１】
この発明は、計画変更等によって水洗便器等を増設する必要が生じた場合、増設機器の排水処理のために、新たに排水立管を増設することなく、既設の排水管への処理方法及び排水処理システムに関するものである。
【背景技術】
【０００２】
一般衛生設備基準によると、例えばトイレ器具と排水管との接続は、管勾配を付して排水する必要がある。トイレ機器排水管の管径は太く（７５Ａ）、排水負荷流量が大きい。従って、通常、そのままでの増設機器排水の既設排水系統への排水合流は難しい。このため一般には設計を見直し、排水立管の排水能力増強のための更新工事を行うか、屋外に別途排水立管を新設し、これを介して排水処理する。この従来工法は、施工費用と時間の大幅増大となる。
【０００３】
このように、従来の排水処理方式では機器の横引排水管に管勾配が絶対必要とされ、排水管は太く排水負荷が大きかった。従って既設排水立管には新設機器の排水能力増に見合う余力がないので、設計が成立せず、増設を諦めていたのが実状である。まれに既設排水管に排水能力の余裕があり設計が可能であっても、在来型便器と排水管工法では、床撤去そして工事後の復旧工事など目的外の付帯工事が多く発生し、管工事の数倍に及ぶ工事・手間・時間等が嵩むことになる。
【発明の開示】
【発明が解決しようとする課題】
【０００４】
既に建築されているビル等で、建築完了後に計画変更により増設要望のある便器等の増設機器排水を、既設の排水系統に容易に接続することができ、新たに排水立管を新設することなく、排水を可能とする処理方法及び排水処理システムを提供することを第１の課題とする。
【０００５】
また既設排水系統の排水能力には増設余力は少ないのが一般的であるが、既設の排水立管にまだ余裕がある場合に、この既設の排水立管を使用し、これに新規な処理手段を付加することにより、施工時間と工事費を大幅に削減できる経済的な増設機器の排水処理方法及び排水処理システムを提供することを第２の課題とする。
【課題を解決するための手段】
【０００６】
第１の排水処理方法として、増設機器排水を、電動マセレータ・ポンプ内蔵の小型排水タンクに接続された小径排水管により満流圧送し、既設便器の下に重ねて敷設されたトイレスタンド内を通した排水ノズルを介して既設便器用の排水管に排出するようにした。
上記の処理方法を実施する処理システムとして、増設機器排水管に接続された電動マセレータ・ポンプ内蔵の小型排水タンクと、この小型排水タンクに接続された小径排水管の先端に接続された排水ノズルと、この排水ノズルを通す凹溝を有し、既設便器の下に重ねて敷設される板状のトイレスタンドとからなり、前記排水ノズルの先端を既設便器用の排水管に開口させた。
そして、前記小径排水管の先端に接続した排水ノズルは、その直径が前記トイレスタンドの厚み以下とした。
また、前記トイレスタンドは前記既設便器を取外したのち、これを床上に固定し、しかるのちトイレスタンド上に前記既設便器を載せて固定するようにした。
また、前記トイレスタンドの素材は合板または硬質の発泡プラスチック等であることが好ましい。
さらに、前記トイレスタンドはその厚さが約２０mmの板状をなし、中心に前記既設便器の排水管に嵌る開口を備えていることが好ましい。
次に、もう１つの排水処理方法として、増設機器排水を電動マセレータ・ポンプ内蔵の小型排水タンクに接続された小径排水管により満流圧送し、前記小径排水管の先端に設けた排水ノズルを介し、既設排水立管の内周面に沿って排出するようにした。
上記の方法を実施する処理システムとして、増設機器排水管に接続された電動マセレータ・ポンプ内蔵の小型排水タンクと、前記小型排水タンクに接続された小径排水管と、前記小径排水管に取付けた排水ノズル付ポンプ排水アダプタとからなり、前記排水ノズル付ポンプ排水アダプタの排水ノズルを既設排水立管を貫通させて既設排水立管の内壁に向って排出するようにした。
そして、前記排水ノズル付ポンプ排水アダプタは、前記既設排水立管にサドル継手を介し取付けられ、前記排水ノズルを既設排水立管に設けた孔を貫通させ、その先端が前記既設排水立管の内壁面に沿ってこれと略平行に配設され、排水ノズルからの排水を既設排水立管の内壁面に沿って排出させるようにした。
【発明の効果】
【０００７】
既設便器の下にトイレスタンドを敷設し、このトイレスタンドの部分に、その厚み内におさまるように排水ノズルを配設するようにしたので、既設便器の排水管をそのまま利用でき、排水立管を新設する必要がなく、安価に増設トイレ等の増設機器を設けることができる。
【０００８】
また、トイレスタンドの厚さの範囲内に排水ノズルを設けることができるので、増設機器排水の排水設備工事は容易であり、その工事費ならびに材料費の面でも理想的である。
【０００９】
さらに、既設の排水立管の排水能力に余裕があり、これを利用できる場合には、増設機器側の排水管からサドル継手及びこれに取付けた排水ノズルを介し既設の排水立管に排水できるようにしたので、安価に増設機器の排水を処理することができる。
【００１０】
そして排水ノズルからの排水を、既設の排水立管の内壁面に沿って排出するようにしたので、その吐出エネルギーによるウォータブラスト効果により、内壁面の洗浄が可能である。そして内壁面に沿って排出されるので既設の排水立管内の通気作用を阻害することのない排水処理が可能になった。
【発明を実施するための最良の形態】
【００１１】
本発明の実施の形態を図面を参照して詳細に説明する。
図１は本発明の実施の形態に係る増設機器排水の処理システムの斜視図である。図１で１は既設の便器である。２は既設便器１の下に敷設したトイレスタンドである。トイレスタンド２の厚さは約２０mmで、その素材は合板または硬質プラスチック等の切断加工し易い材料である。厚さ約２０mmは平均的な使用者にとって好ましい厚さであるが、便器の使用者の背丈により任意の厚さを採用でき、特に限定するものではない。
【００１２】
トイレスタンド２には中心部に開口６を有し、ここにガスケット３が取付けられ、既設の便器１はこの開口上に載せられる。トイレスタンド２は床５上に固定具４で固定される。
【００１３】
トイレスタンド２内には、電動マセレータ・ポンプ内蔵の小型排水タンクに接続された小径排水管７の端に接続される排水ノズル８が取付けられている。この排水ノズル８はフランジ９で前記小径排水管７に接続される。小径排水管７は壁・床上・天井裏などを通し配管される。排水ノズル８は例えばトイレスタンド２に設けた凹溝２ａ内に納っている（図１（ｂ））。
【００１４】
増設機器排水管３０に接続された電動マセレータ・ポンプ内蔵の小型排水タンクは公知ものを使用する（図２）。これは例えば図２に示すフランスＳＦＡ社製の強制排水ポンプで、排水中の汚物は内蔵されたグラインディングシステム内の粉砕用カッター１１によって微細に粉砕され泥状化さらには液状化状態にされて前記小径排水管７内を満水圧送される。そして汚水のタンク１０内への流れ込みを検知して自動的にカッター１１が働き、汚物は３〜４秒で泥状化さらには液状化され、ほとんどの泥状汚物を内蔵ポンプ１２で前記小径排水管７に満水圧送する。タンク１０がほぼ空になるとポンプ１２は自動的に停止する構成になっている。
【００１５】
以上説明した電動マセレータ・ポンプ内蔵の小型排水タンクから強制排水ポンプで圧送された泥状汚物等を含む汚水は、壁・床・天井裏等を通って小径排水管７に送られ、トイレスタンド２内の凹溝２ａを通る排水ノズル８を経て既設の排水管に排出される。そしてこの排水ノズル８はトイレスタンド２の厚み内に納まるようになっている。また、トイレスタンド２は排水ノズル８を設置する上でさけられないものであるが、もしこれで便器１の高さが高すぎる場合には便器の両側に、高さ超過分を補う踏み台等が必要になるが、必要に応じて対処すればよい。
【００１６】
次に図３と図４は、図１の場合とは異り、既設の排水立管１３に少し余裕があり、これを利用できる場合の排水処理例で、小径排水管１４を既設の排水立管１３に接続する構成になっている。
【００１７】
図３では増設機器排水を、電動マセレータ・ポンプ内蔵の小型排水タンクに接続された小径排水管１４により満流圧送し、小型排水管１４の先端にサドル継手１５により設けた排水ノズル付ポンプ排水アダプタ１６を介し、既設の排水立管１３の内周面に沿って排出するようになっている。
【００１８】
図４に示すように、排水ノズル１７は既設排水立管１３に穿設した孔１８に挿入され、パッキン１９を介し漏水しないよう固定される。図５はサドル継手１５の一例で、前記既設排水立管１３にこれを締め付け、固定ねじ１５ａで取り付けている。ノズル付ポンプ排水アダプタ１６はこのサドル継手１５に溶接付け等で取り付けられ、その先の排水ノズル１７はその先端が既設排水立管１３の内壁面２０に沿うよう角度をつけて設置されている。排水ノズル１７の先端はたとえば１２０°〜１５０°程度開いている。
【００１９】
排水ノズル１７はその先端で小径排水管１４からの排水を排水立管１３の内壁面２０にそってこれと略平行に排出するよう取付けられており、しかも先端が１２０°〜１５０°の角度をもって開いているので、内壁面に沿って渦流状でしかも拡散状態で排出するよう構成されている。このように構成したので、既設の排水立管１３の排水能力にあまり余裕がない場合でも、内壁面２０に沿って渦流状をなして噴出し、排水負荷を小さくする効果を有している。又排水を内壁面２０に沿って拡散させて排出するので（図４の符号２１参照）、排水は排水立管１３の内壁面２０を洗浄する効果を有している。また排水を排水立管１３の内壁面２０に沿って渦流状をなして排出させるので、排水立管１３の中心部を塞ぐことがなく、排水立管１３の通気障害を惹起することがない。
【図面の簡単な説明】
【００２０】
【図１】（ａ）は本発明の実施の形態に係る増設機器排水の処理システムの斜視図である。（ｂ）はトイレスタンドの排水ノズル取付部の詳細斜視図である。
【図２】公知強制排水ポンプの一例としてのフランスＳＦＡ社製の電動マセレータ・ポンプ内蔵の小型排水タンクを示す断面図である。
【図３】既設の排水立管を利用できる場合の増設機器排水管の接続構造を示す斜視図である。
【図４】図３における排水ノズルの取付部の詳細を示す断面図である。
【図５】サドル継手の斜視図である。
【図６】既設の排水立管にサドル継手を介し排水ノズル付ポンプ排水アダプタを取付けた状態の斜視図である。
【符号の説明】
【００２１】
１  既設の便器                ２  トイレスタンド
2a  凹溝                      ３  ガスケット
４  固定具                    ５  床
６  開口                      ７  小径排水管
８  排水ノズル                ９  フランジ
10  タンク                    11  カッター
12  内蔵ポンプ                13  既設の排水立管
14  小径排水管                15  サドル継手
15a 固定ねじ                  16  排水ノズル付ポンプ排水アダプタ
17  排水ノズル                18  孔
19  パッキン                  20  （既設排水立管の）内壁面
21  （管の内壁に沿って吐出す）水流
30  増設機器排水管
【図１】
2006207251.tif 000003
【図２】
2006207251.tif 000004
【図３】
2006207251.tif 000005
【図４】
2006207251.tif 000006
【図５】
2006207251.tif 000007
【図６】
2006207251.tif 000008